(57)【要約】【課題】基板ケースを開ける際の痕跡表示部の表示が、目視し易く、確実に、締結機構の締結後に締結部を取り除いた時の痕跡を、検知可能な遊技機の提供。【解決手段】遊技機の基板ケース１０は、制御基板を収納して閉じた後、締結機構４１の蓋側・底側締結部４２・５２を締結させて、ケース部２０・３０相互の開きを規制する。基板ケースは、締結部４２から蓋側本体部３１側に連結される連結片部４５，４６を分断させ、締結部４２を取り外して、開き可能とし、かつ、開きの痕跡Ｍを表示する痕跡表示部７１を備える。痕跡表示部は、外表面１５側で目視可能な意匠面部７２と、意匠面部の裏面側から延びる支持腕部７８と、を備える。締結部４２は、取外方向ＰＵへの移動時に支持腕部を移動させる係止腕部４７を備える。痕跡表示部は、係止腕部による支持腕部の移動により、意匠面部の目視可能な目視部位７４の意匠を復元不能に変化させて、痕跡Ｍを表示する。【選択図】図１１
2010200796.tif 000002
【特許請求の範囲】
【請求項１】
底側ケース部と蓋側ケース部とを備えてなる基板ケースが、制御基板を収納して閉じた後、前記底側ケース部と前記蓋側ケース部とに対応して配設される締結機構の蓋側締結部と底側締結部との相互を締結させて、前記蓋側ケース部の前記底側ケース部に対する開きを規制する構成として、
前記基板ケースが、前記締結機構の締結後において、少なくとも前記蓋側締結部から延びて前記蓋側ケース部における前記蓋側締結部を除いた部位としての本体部側に連結される連結片部を、分断させて、前記蓋側締結部を、前記底側ケース部から離れる方向に前記基板ケースから取り外すことにより、開き可能に構成されるとともに、
前記締結機構の締結後における前記基板ケースの開き時の痕跡を表示可能な痕跡表示部、を備えて構成されている遊技機であって、
前記痕跡表示部が、
前記蓋側ケース部の前記本体部における前記蓋側締結部の近傍の外表面側に、目視可能に配設される意匠面部と、
該意匠面部の裏面側から前記底側締結部側に延びる支持腕部と、
を備えて構成され、
前記蓋側締結部が、前記底側締結部近傍に、前記基板ケースの開き時における前記連結片部の分断後の前記蓋側締結部の取外方向への移動時、前記支持腕部を取外方向に沿って押圧して移動可能な係止腕部、を配設させて構成され、
前記痕跡表示部が、前記係止腕部に押圧される前記支持腕部の移動により、前記意匠面部の少なくとも一部を変形させて、前記意匠面部における目視可能な目視部位の意匠を復元不能に変化させることにより、前記蓋側締結部の取外時の痕跡を表示するように、構成されていることを特徴とする遊技機。
【請求項２】
前記痕跡表示部の意匠面部が、前記目視部位の外表面側を覆う透明な保護カバー、を備えて構成されていることを特徴とする請求項１に記載の遊技機。
【請求項３】
前記痕跡表示部が、
前記支持腕部の周囲に、前記係止腕部の取外方向への移動を許容可能に、前記係止腕部の幅寸法に略近似した開口幅とした移動用溝を配設させ、かつ、
前記支持腕部の移動を許容する内部空間を有して、
周囲を囲うハウジング部に覆われて、配設されていることを特徴とする請求項１若しくは請求項２に記載の遊技機。
【請求項４】
前記痕跡表示部の意匠面部が、前記目視部位を合成樹脂から形成して、塑性変形による白化により、前記目視部位の意匠を変化させるように、構成されていることを特徴とする請求項１乃至請求項３のいずれか１項に記載の遊技機。
【請求項５】
前記痕跡表示部の意匠面部が、着色剤を内蔵したカプセルを配設させて構成され、前記カプセルの破断による前記着色剤の着色により、前記目視部位の意匠を変化させるように、構成されていることを特徴とする請求項１乃至請求項３のいずれか１項に記載の遊技機。
【請求項６】
前記支持腕部が、
前記係止腕部の取外方向への移動時、前記意匠面部の前記目視部位を取外方向と逆方向に引き下げて、前記目視部位の意匠を変化させる構成として、
前記目視部位の裏面から延びる首部と、
前記係止腕部の取外方向への移動時に前記係止腕部に係止される先端側の係止部を有するとともに、該係止部から離れた元部側を前記首部に連結させて、前記係止部の取外方向への移動時に、前記首部に連結させた前記元部側を引き下げるように回動可能に配設される回動片部と、
を備えて構成されていることを特徴とする請求項１乃至請求項５のいずれか１項に記載の遊技機。
【請求項７】
前記支持腕部が、
前記係止腕部の取外方向への移動時、前記意匠面部の前記目視部位を取外方向に沿って押し上げて、前記目視部位の意匠を変化させる構成として、
前記目視部位の裏面から延びる首部と、
取外方向への移動時に前記係止腕部に係止される先端側の係止部を有するとともに、該係止部から離れた元部側を前記首部に結合させた結合片部と、
を備えて構成されていることを特徴とする請求項１乃至請求項５のいずれか１項に記載の遊技機。
【発明の詳細な説明】
【技術分野】
【０００１】
本発明は、制御基板を収納した基板ケースを備えるパチンコ遊技機やスロットマシン等の遊技機に関し、詳しくは、基板ケースの開き時の痕跡を表示可能な痕跡表示部、を備えて構成されている遊技機に関する。
【背景技術】
【０００２】
従来、この種の遊技機では、制御基板を収納する基板ケースが、底側ケース部と蓋側ケース部とを備えて構成されるとともに、制御基板を収納して閉じた後、底側ケース部と蓋側ケース部とに対応して配設される締結機構（封印機構、若しくは、封止機構、あるいは、かしめ機構ともいう）の蓋側締結部と底側締結部との相互を締結させて、蓋側ケース部の底側ケース部に対する開きを規制する構成としていた（例えば、特許文献１，２参照）。
【０００３】
これらの遊技機では、基板ケースが、締結機構の締結後において、少なくとも蓋側締結部から延びて蓋側ケース部における蓋側締結部を除いた部位としての本体部（蓋側本体部）側に連結される連結片部を、分断させて、蓋側締結部を、底側ケース部から離れる方向に基板ケースから取り外すことにより、開き可能に構成されていた。なお、この場合、底側締結部から延びて底側ケース部における底側締結部を除いた部位としての本体部（底側本体部）側に連結される連結片部も、蓋側締結部の連結片部とともに、分断させて、底側締結部とともに、底側ケース部の底側本体部側から離れるように、蓋側締結部を取り外して、基板ケースを開ける場合もあった。
【０００４】
そして、これらの遊技機では、連結片部を分断させて基板ケースを開けた際の痕跡を残せるように、分断する連結片部の部位に、インクカプセルを埋設していた。このような構成では、インクカプセルを埋設した連結片部付近が、基板ケースの開き時の痕跡を表示可能な痕跡表示部となって、連結片部を分断させれば、インクカプセルが破壊されて、内部のインクが流出するため、連結片部付近がインクに着色されて、その着色された痕跡により、基板ケースが開けられたことを検知できた。
【先行技術文献】
【特許文献】
【０００５】
【特許文献１】特開２００１−３１４６２４号公報
【特許文献２】特開２００８−１４８９９３号公報
【発明の概要】
【発明が解決しようとする課題】
【０００６】
しかし、従来の遊技機では、痕跡表示部が締結機構の締結部の周囲に設けられた連結片部付近であって、その部位の分断時の断面は、基板ケースの外表面から内部に入り込んだエリアであって、基板ケースの外表面に広く露出したエリアでないことから、着色された部位を目視し難い場合があった。そして、例えば、取り外した締結部を、分断部位に戻して接着剤等を利用して、固着させれば、着色された部位が覆われて、基板ケースを開けた際の痕跡が隠蔽される虞れがあり、改善の余地があった。
【０００７】
本発明は、上記の課題を解決するものであり、締結機構の締結後に基板ケースを開ける際の痕跡表示部の表示が、目視し易く、確実に、締結機構における締結部の取り除かれた時の痕跡を検知できる遊技機を提供することを目的とする。
【課題を解決するための手段】
【０００８】
本発明に係る遊技機は、底側ケース部と蓋側ケース部とを備えてなる基板ケースが、制御基板を収納して閉じた後、底側ケース部と蓋側ケース部とに対応して配設される締結機構の蓋側締結部と底側締結部との相互を締結させて、蓋側ケース部の底側ケース部に対する開きを規制する構成として、
基板ケースが、締結機構の締結後において、少なくとも蓋側締結部から延びて蓋側ケース部における蓋側締結部を除いた部位としての本体部側に連結される連結片部を、分断させて、蓋側締結部を、底側ケース部から離れる方向に基板ケースから取り外すことにより、開き可能に構成されるとともに、
締結機構の締結後における基板ケースの開き時の痕跡を表示可能な痕跡表示部、を備えて構成されている遊技機であって、
痕跡表示部が、
蓋側ケース部の本体部における蓋側締結部の近傍の外表面側に、目視可能に配設される意匠面部と、
意匠面部の裏面側から底側締結部側に延びる支持腕部と、
を備えて構成され、
蓋側締結部が、底側締結部近傍に、基板ケースの開き時における連結片部の分断後の蓋側締結部の取外方向への移動時、支持腕部を取外方向に沿って押圧して移動可能な係止腕部、を配設させて構成され、
痕跡表示部が、係止腕部に押圧される支持腕部の移動により、意匠面部の少なくとも一部を変形させて、意匠面部における目視可能な目視部位の意匠を復元不能に変化させることにより、蓋側締結部の取外時の痕跡を表示するように、構成されていることを特徴とする。
【０００９】
本発明に係る遊技機では、締結機構の締結後における基板ケースの開き時、まず、少なくとも蓋側締結部から延びて蓋側ケース部における蓋側締結部を除いた部位としての本体部（蓋側本体部）側に連結される連結片部を、分断させて、蓋側締結部を、底側ケース部から離れる方向に基板ケースから取り外すこととなる。その際、本発明の遊技機では、蓋側締結部の係止腕部が、意匠面部に連なる支持腕部を取外方向に押圧して移動させて、痕跡表示部が、係止腕部に押圧される支持腕部の移動により、意匠面部の少なくとも一部を変形させて、意匠面部における目視可能な目視部位の意匠を復元不能に変化させることとなる。この意匠面部は、蓋側ケース部の本体部における蓋側締結部の近傍の外表面側に、目視可能に配設されており、従来のような、基板ケースの外表面側から内部に入った連結片部の断面部位でないことから、容易に、目視できる。
【００１０】
また、痕跡表示部の支持腕部を移動させる蓋側締結部の係止腕部は、蓋側締結部の底側締結部近傍の奥まった位置に、配設されており、連結片部の分断時に分断し難く、蓋側締結部から突出した状態を維持できるため、蓋側締結部の取外方向への移動時に、安定かつ確実に、支持腕部を移動させることができる。
【００１１】
さらに、分断させた連結片部を復元させるように、締結部を元の配置位置に戻して、締結機構の分断を隠蔽しようとしても、意匠面部の目視部位は、締結機構の締結部から離れた蓋側本体部側の外表面側に配置され、さらに、既に復元不能に意匠を変化させているため、隠蔽されることなく、痕跡表示部として、的確に、締結機構の締結部の取り除かれた痕跡を表示することができる。
【００１２】
したがって、本発明に係る遊技機では、締結機構の締結後に基板ケースを開ける際の痕跡表示部の表示が、目視し易く、確実に、締結機構における締結部の取り除かれた時の痕跡を検知できる。
【００１３】
そして、本発明に係る遊技機では、痕跡表示部の意匠面部は、目視部位の外表面側を覆う透明な保護カバー、を設けて構成することが望ましい。このような構成では、保護カバーによって目視部位が覆われており、意匠変化後の目視部位自体に、基板ケースを不正に開けようとする者（不正開封者）が手を加えることができないことから、一層、安定かつ的確に、意匠面部の目視部位の意匠変化を認識することができる。
【００１４】
また、本発明に係る遊技機の痕跡表示部は、支持腕部の周囲に、係止腕部の取外方向への移動を許容可能に、係止腕部の幅寸法に略近似した開口幅とした移動用溝を設け、かつ、支持腕部の移動を許容する内部空間を有して、周囲を囲うハウジング部により、覆って配設することが望ましい。
【００１５】
このような構成では、痕跡表示部が、係止腕部と支持腕部との移動を許容する移動用溝と内部空間とを有したハウジング部により、覆われており、不正開封者が蓋側締結部の移動時に連動する係止腕部や支持腕部を作動不能状態にする加工作業を、防止できて、一層、安定かつ的確に、締結機構における締結部の取り除かれた時の痕跡を検知することができる。
【００１６】
さらに、本発明に係る遊技機における痕跡表示部の意匠面部の目視部位の意匠変化としては、形状の変化、模様の変化、あるいは、色彩の変化を例示することができる。例えば、色彩の変化としては、目視部位を、合成樹脂から形成して、塑性変形による白化により、目視部位の意匠（色彩）を変化させるように、構成することができる。この場合、単に、目視部位を、塑性変形により白化可能として、かつ、白以外に着色された合成樹脂から、形成するだけでよく、容易に、意匠面部の目視部位を構成できる。あるいは、色彩の変化としては、目視部位を、着色剤を内蔵したカプセルを配設させて構成し、カプセルの破断による着色剤の着色により、目視部位の意匠（色彩）を復元不能に変化させるように、構成してもよい。この場合には、カプセルに内蔵した着色剤として、蛍光色等の視認し易い着色剤を使用できて、目視部位の色彩変化時に、広い面を確保可能な蓋側本体部の外表面側に、その視認し易い色彩を目視できるため、一層、明確に、締結機構の締結部が取り除かれた時の痕跡を検知することができる。
【００１７】
さらにまた、意匠面部の目視部位の意匠変化は、係止腕部の取外方向への移動時、目視部位を取外方向と逆方向に引き下げて、目視部位の意匠を変化させたり、あるいは、係止腕部の取外方向への移動時、目視部位を取外方向に沿って押し上げて、目視部位の意匠を変化させることができる。
【００１８】
そして、目視部位を取外方向と逆方向に引き下げて、目視部位の意匠を変化させる場合には、例えば、支持腕部は、目視部位の裏面から延びる首部と、係止腕部の取外方向への移動時に係止腕部に係止される先端側の係止部を有するとともに、係止部から離れた元部側を首部に連結させて、係止部の取外方向への移動時に、首部に連結させた元部側を引き下げるように回動可能に配設される回動片部と、を設けて構成することができる。このような構成では、蓋側締結部の係止腕部の取外方向への移動時、支持腕部の回動片部が、係止腕部に押圧されて係止部を取外方向に移動させることから、支持腕部の首部に連結された元部側を取外方向と逆方向に引き下げるように、回動するため、首部が引き下げられて、目視部位を引き下げることとなる。
【００１９】
また、目視部位を取外方向に沿って押し上げて、目視部位の意匠を変化させる場合には、例えば、支持腕部は、目視部位の裏面から延びる首部と、取外方向への移動時に係止腕部に係止される先端側の係止部を有するとともに、係止部から離れた元部側を首部に結合させた結合片部と、を設けて構成することができる。このような構成では、蓋側締結部の係止腕部の取外方向への移動時、支持腕部の結合片部が、係止腕部に押圧されて係止部を取外方向に移動させることから、元部側とともに、支持腕部の首部を取外方向に移動させて、目視部位を押し上げることとなる。
【図面の簡単な説明】
【００２０】
【図１】本発明の第１実施形態のパチンコ遊技機の背面側を示す概略図である。
【図２】第１実施形態に使用する制御基板を収納した基板ケースを示す概略斜視図である。
【図３】第１実施形態の基板ケースを示す概略斜視図である。
【図４】第１実施形態の基板ケースの概略分解斜視図である。
【図５】第１実施形態の基板ケースの概略端面図であり、図３のＶ−Ｖ部位に対応する。
【図６】第１実施形態の基板ケースの端面図であり、図３のVI−VI部位に対応する。
【図７】第１実施形態の基板ケースを閉じる作業を説明する概略部分断面図であり、図６のVII部位付近を示す。
【図８】第１実施形態の基板ケースを閉じた後、締結機構の蓋側締結部と底側締結部との相互を締結する状態を示す概略断面図である。
【図９】第１実施形態の締結機構の締結後において、蓋側締結部を基板ケースから取り外す状態を示す概略断面図であり、図８のＢのIX-IX部位に対応する。
【図１０】第１実施形態の締結機構における蓋側締結部を基板ケースから取り外す状態を示す概略断面図であり、図９の後の状態を示す。
【図１１】第１実施形態における蓋側締結部が取り除かれた時に表示する痕跡表示部の痕跡を示す概略斜視図である。
【図１２】第２実施形態の痕跡表示部を示す概略断面図であって、締結機構の締結後において、蓋側締結部を基板ケースから取り外す状態を示す。
【図１３】第２実施形態の痕跡表示部を示す概略断面図であり、図１２の後の状態を示す。
【図１４】第２実施形態における蓋側締結部が取り除かれた時に表示する痕跡表示部の痕跡を示す概略斜視図である。
【図１５】第３実施形態の痕跡表示部を示す概略断面図であって、締結機構の締結後において、蓋側締結部を基板ケースから取り外す状態を示す。
【図１６】第３実施形態の痕跡表示部を示す概略断面図であり、図１５の後の状態を示す。
【図１７】第３実施形態における蓋側締結部が取り除かれた時に表示する痕跡表示部の痕跡を示す拡大部分断面図である。
【図１８】第３実施形態における蓋側締結部が取り除かれた時に表示する痕跡表示部の痕跡を示す概略斜視図である。
【図１９】第４実施形態の痕跡表示部を示す概略断面図であって、締結機構の締結後において、蓋側締結部を基板ケースから取り外す状態を示す。
【図２０】第４実施形態における蓋側締結部が取り除かれた時に表示する痕跡表示部の痕跡を示す概略斜視図である。
【発明を実施するための形態】
【００２１】
以下、本発明の第１実施形態を図面に基づいて説明すると、図１に示すように、第１実施形態の遊技機は、パチンコ遊技機１であって、遊技盤２の裏面（背面）に、制御基板（主制御基板）７（図２参照）を覆った基板ケース（主基板ケース）１０が配設されている。
【００２２】
なお、各実施形態での上下と左右の各方向は、図１に示す遊技盤２の裏面側を基準とし、また、前後の方向は、遊技盤２の裏面側を後方側とし、遊技盤２の表面側（遊技領域側・正面側）を前方側とする。
【００２３】
そして、基板ケース１０は、軸方向を左右方向に沿わせて盤裏カバー３に配設された二本の取付軸５，５に対して、上縁１０ａに設けた断面Ｕ字状の取付フック２１ａを下方側から引っ掛けて、下縁１０ｂ側を、後方側（遊技機１の後方側であって図１に示す紙面の表側）に移動しないように、図示しない押え爪片に係止させて、配設されている。なお、基板ケース１０は、図示しない押え爪片の係止を解除させて下縁１０ｂを後方側に引けば、取付軸５回りで後方回転させて取り外すことができて、制御基板７に実装した電子部品の検査や基板ケース１０によって隠れていた電動チューリップの電磁ソレノイド等のメンテナンスを行うことができる。そして、取付軸５や図示しない押え爪片によって盤裏カバー３に取り付けられた基板ケース１０は、上縁１０ａ側に位置する各種のリード線を結線させた複数のターミナル部８を設けた部位を、盤裏カバー３の開閉可能な蓋部４の下縁に覆わせて、配設されることとなる。さらに、基板ケース１０は、制御基板７にリード線を結線させる上縁１０ａや左縁１０ｃ側のターミナル部８を配設させる複数の貫通孔１０ｄ（図１参照）、ＲＡＭ消去スイッチの貫通孔１０ｅを備えて構成されるとともに、さらに、図２に示すように、締結機構４１や痕跡表示機構６０を配設させて、構成されている。
【００２４】
また、基板ケース１０は、図２〜６に示すように、透明なポリカーボネート等の合成樹脂から形成されるとともに、対応する第１〜３の係合手段１１，１２，１３を有した前面側の底側ケース部２０と後面側の蓋側ケース部３０とを具備して構成されている。そして、基板ケース１０は、底側ケース部２０と蓋側ケース部３０との間に、制御基板７を収納して、対応する係合手段１１，１２，１３を係合させることにより、制御基板７の周囲を囲って閉じ、さらに、締結機構４１の所定の蓋側締結部４２と底側締結部５２とを相互に締結させれば、基板ケース１０の開きを規制するように封止することができる。
【００２５】
基板ケース１０が覆っている制御基板７は、後面側を実装面７ａとして、ＣＰＵ、パチンコ遊技機１の遊技プログラムを記憶したＲＯＭや、遊技の進行に応じた遊技球の払い出し等の必要なデータを記憶するＲＡＭ、各種機器との連絡をとるポート、各種抽選の際に用いられる乱数発生器、時間計数や同期を図る場合等に使用されるクロックパルス発生回路等を備えて構成されている。さらに、制御基板７は、実装面７ａを底側ケース部２０から離れる後面側に向けて、換言すれば、裏面７ｂ側を底側ケース部２０側に向けて、蓋側ケース部３０に固定されている（図５参照）。この制御基板７の蓋側ケース部３０への固定は、蓋側ケース部３０から前方側へ延びる複数の固定ピン３１ｂを、制御基板７の周縁に設けられた取付孔７ｃに貫通させるとともに、実装面７ａ側を蓋側ケース部３０の支持面３１ａに当接させ、固定ピン３１ｂの先端３１ｃを拡径させるように溶融固化させる熱かしめすることにより、複数の固定ピン３１ｂの拡径させた先端３１ｃと支持面３１ａとの間で挟持して、行なっている（図５参照）。
【００２６】
基板ケース１０の底側ケース部２０と蓋側ケース部３０とは、図２〜４に示すように、それぞれ、相互に前後で略平行に対向するように配設される底壁部２２と天井壁部３２とを備えて構成されている。そして、底側ケース部２０と蓋側ケース部３０とは、それぞれ、対向する底壁部２２及び天井壁部３２と、それらの周縁から相互に接近するように延びる略筒形状の側壁部２３，３３と、を備えた略箱形状として構成されている。底壁部２２と天井壁部３２とは、それぞれ、左右方向に沿って長辺側を配置させた略長方形板状としている。なお、既述のターミナル部８等のための貫通孔１０ｄ，１０ｅは、蓋側ケース部３０の天井壁部３２に配設されている。そして、実施形態の場合、対応する相互の係合手段１１，１２，１３の係合時と係合解除時における底側ケース部２０と蓋側ケース部３０との相対的な移動方向は、制御基板７の実装面７ａに沿うスライド方向であって、さらに、遊技盤２の左右方向に沿う方向としている。
【００２７】
底側ケース部２０の側壁部２３は、上下で対向する上壁部２４と下壁部２５、及び、左右で対向する左壁部２６と右壁部２７、を備えて構成されている。同様に、蓋側ケース部３０の側壁部３３も、上下で対向する上壁部３４と下壁部３５、及び、左右で対向する左壁部３６と右壁部３７、を備えて構成されている。そして、底側ケース部２０と蓋側ケース部３０との第１の係合手段１１（図４，５，７参照）と第３の係合手段１３（図４参照）とは、上壁部２４，３４相互と、下壁部２５，３５相互とに、それぞれ、形成され、第２の係合手段１２（図４，６，７参照）は、右壁部２７，３７相互に形成されている。
【００２８】
第１の係合手段１１は、図４，７に示すように、上壁部２４，３４相互と、下壁部２５，３５相互とに、それぞれ、三箇所ずつ形成されている。具体的には、底側ケース部２０側の上壁部２４と下壁部２５とに、端面２４ａ，２５ａ側から前方に向かうとともに右方側に向かうような下方から見てＬ字状の挿入溝１１ｂを設けられて、左方に延びる形状の係止フック１１ａが形成され、蓋側ケース部３０側の上壁部３４と下壁部３５とに、挿入溝１１ｂに挿入されて係止フック１１ａに係止される係止ピン１１ｃが形成されて、係止フック１１ａと係止ピン１１ｃとによって、第１の係合手段１１が、構成されている。
【００２９】
また、蓋側ケース部３０側の上壁部３４と下壁部３５とには、端面に、底側ケース部２０の上壁部２４と下壁部２５との端面２４ａ，２５ａ側を挿入させる凹溝１１ｄが形成され（図５参照）、凹溝１１ｄの内周面を部分的に上下で連結するようにして、係止ピン１１ｃが形成されている（図５，７参照）。そして、凹溝１１ｄは、底側ケース部２０と蓋側ケース部３０との相互の係合と係合解除とのスライド方向（左右方向）への移動時（スライド移動時）、底面１１ｄａに底側ケース部２０の上壁部２４と下壁部２５との端面２４ａ，２５ａを摺動させている。すなわち、蓋側ケース部３０の各係止ピン１１ｃを、対応する挿入溝１１ｂの開口１１ｂａから挿入溝１１ｂ内に挿入させて、底側ケース部２０の上壁部２４と下壁部２５との端面２４ａ，２５ａを凹溝１１ｄの底面１１ｄａに当て、蓋側ケース部３０を右方側にスライド移動させて、蓋側ケース部３０の右壁部３７の外側面３７ａを底側ケース部２０の右壁部２７の内側面２７ａに当接させれば（図６，７参照）、各係止ピン１１ｃを、対応する係止フック１１ａに係止させることができる。そして、この第１の係合手段１１の係合完了時には、各係止ピン１１ｃが対応する係止フック１１ａの前面側に係止されて、蓋側ケース部３０の底側ケース部２０から後方側へ外れる移動が規制されることとなる。
【００３０】
なお、蓋側ケース部３０を右方側にスライド移動させて、蓋側ケース部３０の右壁部３７の外側面３７ａを底側ケース部２０の右壁部２７の内側面２７ａに当接させる際には、図６に示すように、蓋側ケース部３０の左壁部３６の内側面３６ａも、底側ケース部２０の左壁部２６の外側面２６ａに当接して、蓋側ケース部３０の右壁部３７の外側面３７ａにおける底側ケース部２０の右壁部２７の内側面２７ａへの当接とともに、係合手段１１の係合時のスライド移動が規制されて、係合完了となる。ちなみに、実施形態では、蓋側ケース部３０の配置状態として、係止ピン１１ｃが挿入溝１１ｂの開口１１ｂａから外れて、基板ケース１０を開けている状態（図７のＡ参照）を、分離外れ状態とし、そして、係止ピン１１ｃを、その分離外れ状態から、開口１１ｂａを経て、挿入溝１１ｂ内に挿入させて、底側ケース部２０の上壁部２４と下壁部２５との端面２４ａ，２５ａを、凹溝１１ｄの底面１１ｄａに当てた配置（図７のＢ参照）を、係合開始位置ＳＰとし、その後、蓋側ケース部３０を右方側にスライド移動させて、蓋側ケース部３０の右壁部３７の外側面３７ａを右壁部２７の内側面２７ａに当接させ、左壁部３６の内側面３６ａを左壁部２６の外側面２６ａに当接させて、係止ピン１１ｃを対応する係止フック１１ａに係止させた位置（図７のＣ参照）を、係合完了位置ＲＰとして、説明する。
【００３１】
そして、実施形態の場合、蓋側ケース部３０が係合開始位置ＳＰから係合完了位置ＲＰに配置される際には、第３の係合手段１３を構成する凹凸形状の嵌合部１３ａ，１３ｂが、相互に嵌合されて、係合解除方向（左方向）への移動を規制することとなる（図４参照）。なお、これらの嵌合部１３ａ，１３ｂは、上壁部２４，３４相互と下壁部２５，３５相互との対向する面相互に形成されており、強い力で、蓋側ケース部３０を係合解除方向へ移動させれば、嵌合を解除できるように設定されている。
【００３２】
また、実施形態の場合、蓋側ケース部３０を係合開始位置ＳＰから係合完了位置ＲＰまで右方向にスライド移動させる際、図６〜８に示すように、第２の係合手段１２としての閂構造を構成する閂状突起１２ｂが嵌挿孔１２ａに嵌挿されて、蓋側ケース部３０の底側ケース部２０から後方側へ外れる移動が規制されることとなる。閂状突起１２ｂは、蓋側ケース部３０の右壁部３７から右方側に突設され、嵌挿孔１２ａは、底側ケース部２０の右壁部２７に形成されている。そして、蓋側ケース部３０の係合開始位置ＳＰへの配置時、閂状突起１２ｂの先端部１２ｃが、嵌挿孔１２ａの左方側に配置され、蓋側ケース部３０を係合開始位置ＳＰから係合完了位置ＲＰへ配置する際、閂状突起１２ｂは、元部１２ｄ付近を嵌挿孔１２ａの部位に配置させて、先端部１２ｃを嵌挿孔１２ａから右方側に突出させることとなる。
【００３３】
締結機構４１は、図７〜９に示すように、蓋側ケース部３０に配置される蓋側締結部４２と、底側ケース部２０に配置される底側締結部５２と、を備えて構成され、実施形態の場合、対応する蓋側締結部４２と底側締結部５２とは、上下に二組配設されている。各蓋側締結部４２は、ホルダ部４３とロックピン（かしめピン、ロック材）４８とを備えて構成され、各底側締結部５２は、ロックピン４８を嵌挿させる嵌合部５３、を備えて構成されている。そして、蓋側ケース部３０を係合開始位置ＳＰから係合完了位置ＲＰまでスライド移動させて基板ケース１０を閉じた際に、図８のＡ，Ｂに示すように、ロックピン４８を、蓋側ケース部３０のホルダ部４３から底側ケース部２０の嵌合部５３に跨ぐように押し込んで、かしめることにより、蓋側締結部４２と底側締結部５２との相互を締結して、閉じた基板ケース１０を封止し、蓋側ケース部３０が底側ケース部２０から係合開始位置ＳＰ側への係合解除方向へスライド移動する操作（基板ケース１０の開け操作、あるいは、開封操作）を規制するものである。
【００３４】
各蓋側締結部４２のホルダ部４３は、右壁部３７に設けられた略四角筒形状の収納部３８によって、周囲を囲まれて配設され、内部に、ロックピン４８を嵌挿させる嵌挿孔４４を備えて構成されている。収納部３８は、閂状突起１２ｂを設けた右壁部３７と共用して、その内側に略四角筒形状に形成されている。ホルダ部４３の嵌挿孔４４は、前後方向に貫通され、後面側の開口側から、六角柱穴状の大径部４４ａと、大径部４４ａより小径の円柱穴状の中径部４４ｂと、中径部４４ｂより小径として、ロックピン４８のピン本体４９の軸部４９ｂを嵌挿させる円柱穴状の小径部４４ｃと、を備えて構成されている。また、ホルダ部４３は、収納部３８の右壁部３７側と共用となる外側壁３８ａと、蓋側ケース部３０における制御基板７を収納した蓋側本体部３１側の内側壁３８ｂと、に対して、それぞれ、左右方向に沿って連結される板状の連結片部４５，４６により、連結支持されて、配設されている。さらに、二つの内の下方側の蓋側締結部４２Ｄのホルダ部４３には、各連結片部４５，４６から離れた底側締結部５２側となる前方側で、かつ、外周面の下面側に、略四角柱状として下方向きに突出する係止腕部４７が、配設されている（図４，９参照）。ちなみに、係止腕部４７は、連結片部４５，４６より、破断され難いように、破断治具を配置できないように、連結片部４５，４６からの離隔距離ＳＬ１を設けたり、あるいは、ホルダ部４３と後述するハウジング部６１とを接近させて相互の離隔距離ＳＬ２を短くしつつ、係止腕部４７の突出長さＰＬを短くして構成されている。さらに、係止腕部４７の内部には、破断を不能にできるように、鋼材等の金属製の芯材４７ａ（図９参照）が埋設されている。
【００３５】
なお、蓋側ケース部３０の蓋側本体部３１は、蓋側ケース部３０における蓋側締結部４２を除いた部位であり、蓋側締結部４２を囲った四角筒形状の収納部３８を備えて、制御基板７の後方側を覆っている部位である。蓋側本体部３１の収納部３８には、蓋側締結部４２Ｄの下方側となる下端側のエリアに、痕跡表示機構６０のハウジング部６１を取り付けて支持する組付部３９が配設されている（図９参照）。組付部３９は、収納部３８の内周側に、略長方形板状の支持座３９ａを、突設させて構成されている。
【００３６】
そして、各蓋側締結部４２のロックピン４８は、金属製として、ピン本体４９と支持リング５０とを備えて構成されている。ピン本体４９は、後端側の円板状の頭部４９ａと、頭部４９ａから前方の嵌合部５３側に延びる小径の円柱状の軸部４９ｂと、を備えて構成されている。軸部４９ｂは、ホルダ部４３の小径部４４ｃの内径寸法Ｄと略等しい外径寸法ｄとして、摺動可能にホルダ部４３に保持されている。そして、軸部４９ｂの先端部４９ｃには、環状溝４９ｄが設けられて、円板状の支持リング５０が外周側に嵌められている。支持リング５０は、ピン本体４９を嵌合部５３内に圧入させてかしめた際、ホルダ部４３の先端面４３ａと嵌合部５３の嵌合孔５４における小径部５４ｂの周縁との間で位置規制されて、軸部４９ｂの引き抜き方向（後方向）への移動時、軸部４９ｂを貫通させるように設けられた支持リング５０の貫通孔５０ａの内周縁を、軸部４９ｂの外周面に食い込ませるようにして、軸部４９ｂの移動を規制することとなる。
【００３７】
また、各底側締結部５２の嵌合部５３は、収納部２８に周囲を囲まれる略円筒状として、右壁部２７に周囲を囲まれて配設されるとともに、ロックピン４８のピン本体４９の先端部４９ｃを圧入可能な嵌合孔５４の小径部５４ｂを備えて構成されている。収納部２８は、係合手段１２の嵌挿孔１２ａを設けた右壁部２７と共用して、その内側に略四角筒形状に形成されている。嵌合部５３は、後端側だけに開口面を有して前方側に延びる嵌合孔５４を備え、嵌合孔５４は、ピン本体４９の軸部４９ｂの先端部４９ｃ側を圧入可能な小径部５４ｂと、小径部５４ｂの開口周縁に配設されて、支持リング５０を収納可能な大径部５４ａと、を備えて構成されている。この嵌合部５３も、連結片部５５を利用して、収納部２８に連結支持されて、配設されている。なお、底側締結部５２の連結片部５５は、制御基板７に沿って収納部２８と各底側締結部５２の嵌合部５３とを共に連結する横板部５５ａと、各嵌合部５３から、右壁部２７側と共用となる外側壁２８ａや底側ケース部２０における制御基板７を収納した底側本体部２１側の内側壁２８ｂに対して、それぞれ、左右方向に沿って、連結される縦板部５５ｂ，５５ｂと、から構成されている。
【００３８】
なお、底側本体部２１は、底側ケース部２０における底側締結部５２を除いた部位であり、底側締結部５１を囲った収納部２８を備えて、制御基板７の前方側を覆っている部位となる。
【００３９】
そして、この締結機構４１は、図８のＡ，Ｂに示すように、基板ケース１０を閉じた状態で、金属製のロックピン４８を、蓋側ケース部３０のホルダ部４３から底側ケース部２０の嵌合部５３に跨ぐように押し込んでかしめることにより、閉じた基板ケース１０を封止している。この封止時、ロックピン４８が、その軸部４９ｂを、蓋側ケース部３０のホルダ部４３における嵌挿孔４４の小径部４４ｃと、底側ケース部２０の嵌合部５３における嵌合孔５４の小径部５４ｂと、に跨って配置されることから、蓋側ケース部３０が係合開始位置ＳＰ側へ移動するスライド移動を規制され、基板ケース１０を開くことが規制される。
【００４０】
なお、ロックピン４８は、ホルダ部４３の先端面４３ａと嵌合部５３の大径部５４ａの底面となる端面５３ａとの間で位置規制される支持リング５０の貫通孔５０ａの内周縁が、ピン本体４９の外周面に食い込むことから、ホルダ部４３からの抜け方向の移動を規制されることとなる。さらに、ピン本体４９の頭部４９ａの引き抜き操作を行えないように、キャップ５７が、ホルダ部４３の嵌挿孔４４に外れ不能に嵌入されることから、締結機構４１のロックピン４８を嵌合部５３に押し込んでかしめた後には、かしめた蓋側締結部４２を破壊しないと、閉じた基板ケース１０を開けることができない。すなわち、制御基板７のＲＯＭ等の電子部品の検査のために、基板ケース１０を強制的に開ける場合には、かしめたロックピン４８を設けたホルダ部４３から延びる二本の連結片部４５，４６を破断（分断）して（図８のＢの二点鎖線参照）、ホルダ部４３と収納部３８との連結を断ち、かしめた蓋側締結部４２を後方側となる取外方向ＰＵへ移動させて、ロックピン４８の軸部４９ｂを嵌合孔５４から引き抜きつつ、ホルダ部４３を蓋側ケース部３０から取り外して、蓋側ケース部３０を、係合開始位置ＳＰ側にスライド移動させ、さらに、分離外れ状態に移動させれば、基板ケース１０を開けることができる。
【００４１】
そして、第１実施形態では、痕跡表示機構６０は、図３，４，９に示すように、基板ケース１０の右下角付近の下方側であって、締結機構４１の下方側の蓋側締結部４２Ｄの下方における外表面１５側、実施形態では、基板ケース１０を遊技盤２に取り付けた状態で目視し易い後面１５側に、配設されている。この痕跡表示機構６０は、締結機構４１の締結後における基板ケース１０の開き時の痕跡Ｍを表示可能な痕跡表示部７１と、痕跡表示部７１を囲って支持するハウジング部６１と、を備えて構成されている。
【００４２】
痕跡表示部７１は、蓋側ケース部３０の蓋側本体部３１における蓋側締結部４２Ｄの近傍の外表面１５側に、目視可能に配設される意匠面部７２と、意匠面部７２の裏面７４ａ側から底側締結部（下方側の底側締結部）５２Ｄ側の前方側に延びて、蓋側締結部４２Ｄの取外方向ＰＵへの移動時、係止腕部４７に係止されるとともに押圧されて移動可能な支持腕部７８と、を備えて構成されている。
【００４３】
意匠面部７２は、遊技盤２に取り付けられた基板ケース１０を後方側から目視可能な目視部位となる目視板部７４と、目視板部７４の外表面（後面）１５側を覆う透明なアクリルやポリカーボネイト等の合成樹脂等からなる保護カバー７３と、を備えて構成されている。目視板部７４は、係止腕部４７に押圧される支持腕部７８の移動により、少なくとも一部を変形させて、意匠を復元不能に変化させることにより、蓋側締結部４２Ｄの取外時の痕跡Ｍを表示するものである。そして、実施形態の場合、目視板部７４は、左右方向に延びた略長方形板状として、塩化ビニルやポリプロピレン等の塑性変形時に白化する硬質の合成樹脂から形成されている。さらに、実施形態の場合、この目視板部７４は、白化時の意匠変化を容易に認識できるように、黒色に着色されている。
【００４４】
支持腕部７８は、第１実施形態の場合、目視板部７４の裏面（前面）７４ａから前方に延びる首部７９と、回動片部８０と、を備えて構成されている。この首部７９は、目視板部７４と一体的に結合（実施形態の場合、一体成形）されている。首部７９の横断面形状（軸直交方向の断面形状）は、目視板部７４の略長方形板状の外形形状より若干小さい相似形とした略長方形状としている。また、実施形態の回動片部８０は、係止腕部４７の取外方向ＰＵへの移動時、目視板部７４を取外方向ＰＵと逆方向に引き下げて、目視板部７４における首部７９との結合エリア７４ｂ付近を、塑性変形させて白化させるように、構成されている。そして、第１実施形態の場合、回動片部８０は、上下方向に延びた略四角柱状として、係止腕部４７の取外方向ＰＵへの移動時に係止腕部４７に係止される先端８０ａ側の係止部８１と、先端８０ａの係止部８１から離れた元部８０ｂ側の首部７９に連結される結合部８２と、を備えて、先端８０ａと元部８０ｂとの間の部位を、ハウジング部６１に取り付けられた支持軸８４に、回動可能に軸支させて配設されている。そして、回動片部８０は、係止腕部４７に係止されて押圧された係止部８１の取外方向ＰＵへの移動時、首部７９の先端（前端）７９ａに連結させた元部８０ｂ側の結合部８２を、引下方向（前方）ＰＤに引き下げる回転（実施形態の場合、図９，１０に示すように、支持軸８４を回転中心とした反時計方向の回転）をするように、配設されている。さらに、実施形態の場合、結合部８２は、接着剤や図示しない係止脚等を利用して、首部７９の先端７９ａに結合されているものの、首部７９の先端７９ａとの結合強度を、回動片部８０の引下方向ＰＤの回転に伴って、首部７９が引き下げられて目視板部７４を白化させた後、首部７９の先端７９ａとの結合を解除するように、設定されている。なお、このような結合部８２の首部７９との結合解除は、蓋側締結部４２を取外方向ＰＵへ移動させる際、痕跡Ｍを表示させた後には、支持腕部７８の回動片部８０に邪魔されずに、円滑に、係止腕部４７を含めた蓋側締結部４２を収納部３８から離脱させるためである。
【００４５】
ハウジング部６１は、図４，９に示すように、前後方向に貫通孔６３を貫通させた略四角筒形状の周壁部６２を備えて構成され、蓋側ケース部３０（蓋側本体部３１）の収納部３８における組付部３９の支持座３９ａの支持面（後面）３９ｂに、固着されている。このハウジング部６１の支持座３９ａへの取り付けは、接着剤や図示しない係止脚を利用して行っている。そして、ハウジング部６１には、基板ケース１０の外表面１５側の開口６２ａ周縁に、保護カバー７３と目視板部７４との外周縁を固着させて支持する二段の支持座６４，６５が配設されている。
【００４６】
また、ハウジング部６１の周壁部６２には、貫通孔６３の支持座６４，６５から前方側に離れた内部側に、支持腕部７８の移動を許容する内部空間６８、すなわち、首部７９の引下方向ＰＤの移動や支持軸８４に軸支された回動片部８０の回動を許容する略直方体形状の内部空間６８、が設けられるとともに、係止腕部４７の取外方向ＰＵへの移動を許容可能に、係止腕部４７の幅寸法（左右方向の幅寸法）Ｂ１（図４参照）に略近似した開口幅Ｗとした移動用溝６７が、前後方向の全域、すなわち、貫通孔６３の軸方向に沿った周壁部６２の長さ方向の全域、に形成されている。
【００４７】
なお、移動用溝６７内には、回動前の回動片部８０の係止部８１側が内部空間６８側から移動用溝６７内に侵入するように配置されるとともに、係止腕部４７が、周壁部６２の外方の上方側から移動用溝６７内に侵入して、係止部８１の前面８１ａ側に前後方向で重なるように、配設されている。そのため、係止腕部４７が取外方向ＰＵへ移動する際には、係止腕部４７が、係止部８１を取外方向ＰＵへ引き上げて、回動片部８０が、図９，１０に示すように、支持軸８４回りで、反時計方向に回転することとなる。
【００４８】
また、回動片部８０の左右方向の幅寸法Ｂ２は、係止腕部４７の左右方向の幅寸法Ｂ１と略等しく、首部７９の左右方向の幅寸法Ｂ０より小さく設定されている（図４参照）。
【００４９】
第１実施形態のパチンコ遊技機１では、制御基板７を固定し、かつ、痕跡表示部７１を設けたハウジング部６１を固着させた基板ケース１０の蓋側ケース部３０を、底側ケース部２０に被せて、各係止ピン１１ｃを対応する挿入溝１１ｂの開口１１ｂａを経て、挿入溝１１ｂ内に挿入させて、蓋側ケース部３０を係合開始位置ＳＰに配置させる（図７のＡ，Ｂ参照）。ついで、図６や図７のＢ，Ｃに示すように、蓋側ケース部３０を、係合方向となる右方側にスライド移動させて、係合完了位置ＲＰに配置させれば、第１の係合手段１１の係止ピン１１ｃが係止フック１１ａに係止され、また、第２の係合手段１２の閂状突起１２ｂが嵌挿孔１２ａに嵌挿され、さらに、第３の係合手段１３の嵌合部１３ａ，１３ｂ相互が嵌合する。
【００５０】
そして、蓋側ケース部３０を係合完了位置ＲＰに配置させた後には、締結機構４１の蓋側締結部４２Ｄのロックピン４８を、底側締結部５２Ｄの嵌合部５３の嵌合孔５４に押し込むようにかしめて、蓋側締結部４２Ｄと底側締結部５２Ｄとの相互を締結し、さらに、ホルダ部４３の嵌挿孔４４内にキャップ５７を嵌めて、基板ケース１０を封止する。その後、制御基板７のターミナル部８に所定のリード線を結線しつつ、基板ケース１０を、取付軸５等を利用して、盤裏カバー３に取り付けることとなる。
【００５１】
その後、第１実施形態のパチンコ遊技機１では、基板ケース１０を不正に開ける際、基板ケース１０のターミナル部８からリード線を抜いて、盤裏カバー３から基板ケース１０を取り外し、蓋側締結部４２Ｄのロックピン４８をかしめていたホルダ部４３の左右の連結片部４５，４６を切断（分断）し、ロックピン４８ごと、ホルダ部４３を蓋側ケース部３０から外し、そして、蓋側ケース部３０を係合完了位置ＲＰから係合開始位置ＳＰに左方側に向けてスライド移動させることとなる。
【００５２】
そして、第１実施形態のパチンコ遊技機１では、蓋側締結部４２Ｄから延びて蓋側本体部３１側の収納部３８の外側壁３８ａや内側壁３８ｂに連結される連結片部４５，４６を、分断させて、蓋側締結部４２Ｄを、底側ケース部２０から離れる方向の取外方向ＰＵに基板ケース１０から取り外す際、第１実施形態の遊技機１では、図９，１０と図１１とに示すように、蓋側締結部４２Ｄの係止腕部４７が、意匠面部７２の目視板部７４に連なる支持腕部７８の回動片部８０の係止部８１を、取外方向ＰＵに押圧して移動させて、回動片部８０を反時計方向に回転させる。そのため、回動片部８０が、元部８０ｂ側を連結させていた首部７９を引下方向ＰＤに移動させて、目視板部７４における首部７９との結合エリア７４ｂ付近を、引き下げる。そのため、目視板部７４の結合エリア７４ｂ付近が塑性変形して白化する。すなわち、痕跡表示部７１が、係止腕部４７に押圧される支持腕部７８の移動により、意匠面部７２の目視板部７４における少なくとも一部の結合エリア７４ｂ付近を塑性変形させて、意匠面部７２における目視可能な目視板部７４の意匠を、復元不能に白化させるように、変化させることとなる。そして、この意匠面部７２の目視板部７４は、蓋側ケース部３０の蓋側本体部３１における蓋側締結部４２Ｄの近傍の外表面１５側に、目視可能に配設されており、従来のような、基板ケースの外表面側から内部に入った連結片部の断面部位でないことから、容易に、目視できる。
【００５３】
また、痕跡表示部７１の支持腕部７８を移動させる蓋側締結部４２Ｄの係止腕部４７は、蓋側締結部４２Ｄの底側締結部５２Ｄ近傍の奥まった位置、さらに付言すれば、離隔距離ＳＬ１分、連結片部４５，４６より底側締結部５２Ｄ側の前方側の奥まった位置に、配設されており、連結片部４５，４６の分断時に分断し難く、蓋側締結部４２Ｄから突出した状態を維持できるため、蓋側締結部４２Ｄの取外方向ＰＵへの移動時に、安定かつ確実に、支持腕部７８を移動させることができる。さらに加えて、実施形態の場合、ホルダ部４３とハウジング部６１とが、小さな離隔距離ＳＬ２分として、相互に接近しており、さらに、係止腕部４７を短い突出長さＰＬとして移動用溝６７内に挿入させており、一層、係止腕部４７は、連結片部４５，４６の分断時に、分断し難く構成されている。
【００５４】
さらに、分断させた連結片部４５，４６を復元させるように、蓋側締結部４２ｄを元の配置位置に戻して、締結機構４１の分断を隠蔽しようとしても、意匠面部７２の目視板部７４は、締結機構４１の蓋側締結部４２Ｄから離れた蓋側本体部３１側の外表面１５側に配置され、さらに、既に復元不能に意匠を変化させているため、隠蔽されることなく、痕跡表示部７１として、的確に、締結機構４１の蓋側締結部４２Ｄの取り除かれた痕跡Ｍを表示することができる。
【００５５】
したがって、第１実施形態の遊技機１では、締結機構４１の締結後に基板ケース１０を開ける際の痕跡表示部７１の表示（意匠面部７２の目視板部７４）が、目視し易く、確実に、締結機構４１における蓋側締結部４２Ｄの取り除かれた時の痕跡Ｍを検知できる。
【００５６】
そして、第１実施形態の遊技機１では、痕跡表示部７１の意匠面部７２に、目視部位（目視板部）７４の外表面１５側を覆う透明な保護カバー７３が、配設されている。そのため、このような構成では、保護カバー７３によって目視板部７４が覆われており、意匠変化後の目視板部７４自体に、基板ケース１０を不正に開けようとする者（不正開封者）が手を加えることができないことから、一層、安定かつ的確に、意匠面部７２の目視板部７４の意匠変化（白化）を認識することができる。
【００５７】
また、第１実施形態の遊技機１では、痕跡表示部７１が、支持腕部７８の首部７９や回動片部８０の周囲に、係止腕部４７の取外方向ＰＵへの移動を許容可能に、係止腕部４７の幅寸法Ｂ１に略近似した開口幅Ｗとした移動用溝６７を設け、かつ、支持腕部７８の首部７９や回動片部８０の移動を許容する内部空間６８を有して、周囲を囲うハウジング部６１によって、覆われて配設されている。
【００５８】
そのため、このような構成では、痕跡表示部７１が、係止腕部４７と支持腕部７８との移動を許容する移動用溝６７と内部空間６８とを有したハウジング部６１により、覆われており、不正開封者が蓋側締結部４２Ｄの移動時に連動する係止腕部４７や支持腕部７８の首部７９や回動片部８０を作動不能状態にする加工作業を、防止できて、一層、安定かつ的確に、締結機構４１における蓋側締結部４２Ｄの取り除かれた時の白化による痕跡Ｍを検知することができる。
【００５９】
なお、実施形態のハウジング部６１では、略四角筒形状の周壁部６２から構成した場合を示したが、周壁部６２における保護カバー７３側の開口６２ａから離れた組付部３９の支持座３９ａ側に、貫通孔６３を塞ぐ底壁部を設けて、この底壁部と、支持座６４，６５を設けた周壁部６２と、を設けて、ハウジング部６１を構成してもよい。
【００６０】
さらに、第１実施形態では、意匠面部７２の目視板部７４が、意匠を復元不能に変化させる際、支持腕部７８の首部７９との結合エリア７４ｂ付近を、塑性変形させて白化させた痕跡Ｍを表示する構成としており、このような構成では、意匠面部７２の目視部位（目視板部）７４を、白以外に着色された合成樹脂から、形成するだけでよく、容易に、意匠面部７２の目視板部７４を構成することができる。
【００６１】
なお、第１実施形態では、意匠面部７２の目視板部７４を白化させる際、目視板部７４を、係止腕部４７の取外方向ＰＵと逆方向となる引下方向ＰＤに引き下げて、塑性変形させたが、図１２〜１４に示す第２実施形態の遊技機１Ａのように、目視板部７４を、取外方向ＰＵに沿って押し上げるようにして、塑性変形させてもよい。
【００６２】
この第２実施形態では、痕跡表示部７１Ａの支持腕部７８Ａが、目視板部７４Ａの裏面７４ａから延びる首部７９Ａと、取外方向ＰＵへの移動時に係止腕部４７に係止される先端８６ａ側の係止部８７を有するとともに、係止部８７から湾曲して離れた元部８６ｂ側を首部７９Ａに結合させた結合片部８６と、を設けて構成されている。結合片部８６は、首部７９Ａや目視板部７４Ａと一体成形されて、取外方向ＰＵへ移動する係止腕部４７に押圧された際、目視板部７４Ａの結合エリア７４ｂ付近を押し上げて、結合エリア７４ｂ付近を塑性変形させて白化させれば、撓んで、係止腕部４７から離脱するように、構成されている。なお、結合片部８６は、首部７９Ａや目視板部７４Ａとともに、白化を目視し易いように、黒色に着色された塩化ビニル等の硬質合成樹脂から形成されている。
【００６３】
この第２実施形態の遊技機１Ａの基板ケース１０Ａでも、締結機構４１の締結後における蓋側締結部４２Ｄの係止腕部４７の取外方向ＰＵへの移動時、図１２〜１４に示すように、支持腕部７８Ａの結合片部８６が、係止腕部４７に押圧されて係止部８７を取外方向ＰＵに移動させることから、元部８６ｂ側とともに、支持腕部７８Ａの首部７９Ａが取外方向ＰＵに移動し、目視部位としての目視板部７４Ａの結合エリア７４ｂ付近が、意匠面部７２の保護カバー７３に接近するように押し上げれられて塑性変形し、白化の痕跡Ｍを残すこととなる。そのため、この第２実施形態でも、第１実施形態と同様な作用・効果を得ることができる。
【００６４】
また、痕跡表示部の意匠面部の目視部位の意匠変化としては、復元不能に変化させることができれば、形状の変化、模様の変化、あるいは、色彩の変化を例示することができる。そして、色彩の変化としては、第１，２実施形態の遊技機１，１Ａのような目視部位（目視板部）７４，７４Ａの塑性変形による白化の他、図１５〜１８に示す第３実施形態の遊技機１Ｂの基板ケース１０Ｂの痕跡表示部７１Ｂのように、目視部位（目視板部）７４Ｂの色彩を変化させるように、構成してもよい。
【００６５】
この第３実施形態の痕跡表示部７１Ｂは、意匠面部７２の保護カバー７３に覆われた目視部位（目視板部）７４Ｂが、第２実施形態と同様な支持腕部７８Ｂを裏面７５ａに結合させた支持板部７５と、支持腕部７８Ｂの首部７９Ｂと結合された結合エリア７５ｂ付近の外表面（後面）側に固着されたカプセル７６と、を備えて構成されている。カプセル７６は、押圧時に破断可能な容器７６ａ内に、支持板部７５と異なった色の着色剤７６ｂを内蔵させて、構成されている。なお、実施形態の場合、支持板部７５が白として、着色剤７６ｂが蛍光赤色とし、容器７６ａは、支持板部７５と同色の白としている。また、容器７６ａ内に内蔵された着色剤７６ｂは、支持板部７５が押し上げられて容器７６ａが支持板部７５と保護カバー７３との間で押し潰された際、保護カバー７３と支持板部７５との間のスペース６６に略充満できるような量を充填されている。
【００６６】
この第３実施形態の遊技機１Ｂの基板ケース１０Ｂでも、締結機構４１の締結後における蓋側締結部４２Ｄの係止腕部４７の取外方向ＰＵへの移動時、図１５〜１８に示すように、支持腕部７８Ｂの結合片部８６Ｂが、係止腕部４７に押圧されて結合片部８６Ｂの先端８６ａ側の係止部８７Ｂを、取外方向ＰＵに移動させることから、元部８６ｂ側とともに、支持腕部７８Ｂの首部７９Ｂが取外方向ＰＵに移動し、目視部位としての目視板部７４Ｂにおける支持板部７５の結合エリア７５ｂ付近が、意匠面部７２の保護カバー７３に接近するように押し上げれられて、カプセル７６を保護カバー７３との間で押し潰すこととなる。そのため、カプセル７６の容器７６ａが押し潰されて、内部の着色剤７６ｂが保護カバー７３と支持板部７５との間のスペース６６に充満し、目視部位（目視板部）７４Ｂが、復元不能に白色から蛍光赤色に色彩を変化させて、その色彩変化の痕跡Ｍを表すこととなる。
【００６７】
そのため、この第３実施形態においても、第１，２実施形態と同様な作用・効果を得ることができる。そしてさらに、第３実施形態では、カプセル７６に内蔵した着色剤として、蛍光色等の視認し易い着色剤７６ｂを使用できて、目視部位（目視板部）７４Ｂの色彩変化時に、広い面を確保可能な蓋側本体部３１の外表面（後面）１５側に、その視認し易い色彩を目視できるため、一層、明確に、締結機構４１の蓋側締結部４２Ｄが取り除かれた時の痕跡Ｍを検知することができる。
【００６８】
なお、着色剤としては、液体状のインクの他、保護カバー７３と支持板部７５との間に充満し易ければ、液体の他、粉末やビーズ等の固体であってもよい。
【００６９】
また、痕跡表示部の意匠面部の目視部位における復元不能の意匠変化としては、色彩の変化の他、形状の変化があり、形状の変化としては、図１９，２０に示す第４実施形態の遊技機１Ｃの基板ケース１０Ｃにおける痕跡表示部７１Ｃが、例示できる。この痕跡表示部７１Ｃは、第１実施形態と同様に、保護カバー７３で覆われた意匠面部７２の目視板部７４Ｃが、その裏面７４ａ側に支持腕部７８Ｃの首部７９Ｃを結合させ、支持腕部７８Ｃが、首部７９Ｃと、ハウジング部６１に保持された支持軸８４に対して回動可能に軸支された回動片部８０Ｃと、から構成されている。そして、この第４実施形態では、目視板部７４Ｃが、首部７９Ｃとの結合エリア７４ｂの周縁に、周囲と分断可能な破断用溝７４ｃを設けられている点を、第１実施形態と相違させている。
【００７０】
この第４実施形態でも、締結機構４１の締結後に、蓋側締結部４２Ｄを取外方向に移動させれば、図１９，２０に示すように、係止腕部４７が、意匠面部７２の目視板部７４Ｃに連なる支持腕部７８Ｃの回動片部８０Ｃの係止部８１を、取外方向ＰＵに押圧して移動させて、支持軸８４回りで回動片部８０Ｃを反時計方向に回転させるため、回動片部８０が、元部８０ｂ側を連結させていた首部７９Ｃを引下方向ＰＤに移動させて、目視板部７４Ｃにおける首部７９との結合エリア７４ｂ付近を、引き下げる。そのため、結合エリア７４ｂ周縁の破断用溝７４ｃが破断し、目視板部７４Ｃが、結合エリア７４ｂを陥没させるように塑性変形して、一部若しくは全体に（図例の場合には全体に）、穴を開けた形状の変化の痕跡Ｍを残すこととなる。意匠面部の目視部位における形状の変化としては、このように構成してもよい。
【００７１】
ちなみに、第４実施形態において、第２実施形態を応用して、結合エリア７４ｂを押し上げた際に、その周囲の破断用溝７４ｃを破断させて、形状変化させてもよい。
【００７２】
また、模様の変化としては、第１，２実施形態の白化するエリア（目視板部７４の結合エリア４７ｂ付近）の外表面側に、模様を付けておけば、支持腕部７８，７８Ａの移動時に、結合エリア４７ｂ付近が伸びるように塑性変形することから、付けた模様の一部が復元不能に伸びる状態となるため、この模様の変化を痕跡として、蓋側締結部４２Ｄの不正な取り外しを検知することが可能となる。
【００７３】
なお、各実施形態では、締結機構４１として、蓋側締結部４２のロックピン４８を底側締結部５２に押し込んで、蓋側ケース部３０の底側ケース部２０に対するスライド移動を規制する構成を例示したが、蓋側締結部側から底側締結部側にねじをねじ込んで、蓋側ケース部の底側ケース部に対するスライド移動を規制する締結機構としてもよい。さらに、締結機構としては、底側締結部側に係止フックを固定させ、蓋側締結部側に、係止フックに対して外れ不能に係止される金属製等のロック材を、設ける構成とし、そして、蓋側締結部側のロック材を、蓋側締結部側から底側締結部側に挿入させて、蓋側締結部側と底側締結部側とに跨がせ、かつ、係止フックに係止させて、蓋側ケース部の底側ケース部に対するスライド移動を規制するように構成してもよい。
【００７４】
また、各実施形態では、締結機構４１の締結後に蓋側締結部４２Ｄに連結された連結片部４５，４６を分断して、蓋側締結部４２Ｄを取り外す構成、を例示したが、蓋側締結部の取り外し時、蓋側締結部の連結片部だけでなく、底側締結部側の連結片部を分断させる構成の締結機構に、本発明を適用してもよい。ちなみに、例えば、上記のようなロック材と係止フックとを利用する締結機構では、締結後において、係止フックに係止されたロック材を引き抜くことができないことから、蓋側締結部と底側締結部との両者のそれぞれの連結片部を分断させ、蓋側締結部と底側締結部とをともに取外方向に取り外して、締結機構の締結を解除することとなる。
【００７５】
さらに、各実施形態では、パチンコ遊技機１，１Ａ，１Ｂ，１Ｃの制御基板７を覆う基板ケース１０，１０Ａ，１０Ｂ，１０Ｃについて説明したが、本発明は、スロットマシン等の遊技機の制御基板を覆う基板ケースに適用してもよい。
【符号の説明】
【００７６】
１，１Ａ，１Ｂ，１Ｃ…（パチンコ）遊技機、
７…制御基板、
１０，１０Ａ，１０Ｂ，１０Ｃ…基板ケース、
２０…底側ケース部、
３０…蓋側ケース部、
３１…蓋側本体部、
４１…締結機構、
４２，４２Ｄ…蓋側締結部、
４５，４６…連結片部、
４７…係止腕部、
５２，５２Ｄ…底側締結部、
６０…痕跡表示機構、
６１…ハウジング部、
６７…移動用溝、
６８…内部空間、
７１，７１Ａ，７１Ｂ，７１Ｃ…痕跡表示部、
７２…意匠面部、
７３…保護カバー、
７４，７４Ａ，７４Ｂ，７４Ｃ…目視板部、
７６…カプセル、
７６ｂ…着色剤、
７８，７８Ａ，７８Ｂ，７８Ｃ…支持腕部、
７９，７９Ａ，７９Ｂ，７９Ｃ…首部、
８０，８０Ｃ…回動腕部、
８１…係止部、
８２…結合部、
８４…支持軸、
８６，８６Ｂ…結合片部、
８７，８７Ｂ…係止部、
ＰＵ…取外方向、
Ｍ…痕跡。
【図１】
2010200796.tif 000003
【図２】
2010200796.tif 000004
【図３】
2010200796.tif 000005
【図４】
2010200796.tif 000006
【図５】
2010200796.tif 000007
【図６】
2010200796.tif 000008
【図７】
2010200796.tif 000009
【図８】
2010200796.tif 000010
【図９】
2010200796.tif 000011
【図１０】
2010200796.tif 000012
【図１１】
2010200796.tif 000013
【図１２】
2010200796.tif 000014
【図１３】
2010200796.tif 000015
【図１４】
2010200796.tif 000016
【図１５】
2010200796.tif 000017
【図１６】
2010200796.tif 000018
【図１７】
2010200796.tif 000019
【図１８】
2010200796.tif 000020
【図１９】
2010200796.tif 000021
【図２０】
2010200796.tif 000022